(57)【要約】      （修正有）【課題】バッカンを快適に使用できるバッカン用袋を提供する。【解決手段】バッカン２０の内部に配置するバッカン用袋１０であって、バッカン１０の収容部２５の内側面に沿うように角１５ａ〜１５ｄが形成されている。【選択図】図１
0003228058.tif 000002
【実用新案登録請求の範囲】
【請求項１】
バッカンの内部に配置するバッカン用袋であって、
前記バッカンの収容部の内側面に沿うように角が形成されていることを特徴とするバッカン用袋。
【請求項２】
前記バッカン用袋は、
底部と、前記底部の端から連続する側部とを有し、
前記角は、
前記底部と、前記側部とが交差する位置に形成されていることを特徴とする請求項１に記載のバッカン用袋。
【請求項３】
前記バッカン用袋は、
高さが前記バッカンの収容部の高さよりも大きく形成され、前記バッカンの内部に配置したときに開口部から外側に折り返し可能であることを特徴とする請求項１または２に記載のバッカン用袋。
【請求項４】
前記バッカン用袋は、
前記バッカンの内部に配置して前記開口部から外側に折り返したときに前記バッカンの取っ手の取付部を覆うことが可能であることを特徴とする請求項３に記載のバッカン用袋。
【考案の詳細な説明】
【技術分野】
【０００１】
本考案は、バッカン用袋に関するものである。
【背景技術】
【０００２】
釣り用具として撒き餌を収容するためのバッカンが知られている。特許文献１には内側の隅まで効率よく撒き餌を混ぜるためにバッカンバケツの内部に配置するバッカンインナーが開示されている。
【先行技術文献】
【特許文献】
【０００３】
【特許文献１】実用新案登録第３２０５９６４号公報
【考案の概要】
【考案が解決しようとする課題】
【０００４】
しかしながら、特許文献１に開示されたバッカンインナーは容器であることから、釣りを終えた後に清掃をしなければならず、手間が掛かってしまう。
【０００５】
一方、バッカンの内部に市販のビニール製の袋を配置して、袋の内部に撒き餌を収容することが考えられる。しかしながら、市販のビニール製の袋は、バッカンの内部にフィットしないことから余分なスペースができてしまう。また、無理やりフィットさせようとした場合には袋に余計な折り目が生じて、折り目に撒き餌が入り込んでしまったり、撒き餌ヒシャクで撒き餌を押し付けるときに折り目が邪魔になったりしてしまうという問題がある。
【０００６】
本考案は、上述したような問題点に鑑みてなされたものであり、バッカンを快適に使用できるようにすることを目的とする。
【課題を解決するための手段】
【０００７】
本考案は、バッカンの内部に配置するバッカン用袋であって、前記バッカンの収容部の内側面に沿うように角が形成されていることを特徴とする。
【考案の効果】
【０００８】
本考案によれば、バッカンを快適に使用することができる。
【図面の簡単な説明】
【０００９】
【図１】バッカン用袋およびバッカンの構成の一例を示す斜視図である。
【図２】バッカン用袋をバッカンの内部に配置した状態を示す断面図である。
【考案を実施するための形態】
【００１０】
以下、本考案に係る実施形態のバッカン用袋１０について図面を参照して説明する。
図１は、バッカン用袋１０およびバッカン２０の構成の一例を示す斜視図である。
【００１１】
まず、バッカン２０について説明する。バッカン２０は、防水性に優れ、主に撒き餌を収容するために用いられる。バッカン２０は、本体部２１と、蓋部２６と、取っ手２９とを有する。
【００１２】
本体部２１は、撒き餌等の釣りに関する収容物を収容することができる。本体部２１は、略箱状であって、上方に開口部２２を有する略角筒状である。本体部２１は、例えばＥＶＡ等の合成樹脂により形成され、可撓性を有する。本体部２１は、底壁部２３と４つの側壁部２４ａ〜２４ｄとを有する。底壁部２３および４つの側壁部２４ａ〜２４ｄはそれぞれ略矩形であって、略同じ厚みの板状である。底壁部２３と４つの側壁部２４ａ〜２４ｄとは直交した状態で接続されていると共に、隣り合う側壁部２４ａ〜２４ｄ同士が直交した状態で接続されている。ここでは、側壁部２４ａ、２４ｃは、側壁部２４ｂ、２４ｄと比べて幅広である。
【００１３】
底壁部２３の内側面（底面）と４つの側壁部２４ａ〜２４ｄの内側面とによって囲まれる空間は、収容物を収容するための収容部２５である。収容部２５は略直方体の空間であり、幅Ｌｂ１、奥行きＬｂ２、高さＨｂである。すなわち、収容部２５は、側壁部２４ｂの内側面と側壁部２４ｄの内側面との間の距離がＬｂ１であり、側壁部２４ａの内側面と側壁部２４ｃの内側面との間の距離がＬｂ２である。また、収容部２５は、底壁部２３の内側面（底面）からの高さがＨｂである。
【００１４】
蓋部２６は、本体部２１の開口部２２を閉塞したり開放したりすることができる。蓋部２６は、開口部２２の大きさに略一致する大きさの略矩形の板状である。蓋部２６は、例えばＥＶＡ等の合成樹脂により形成され、可撓性を有する。蓋部２６は、側壁部２４ｄの上端にヒンジ部２７を介して接続される。ヒンジ部２７は、蓋部２６の端部と側壁部２４ｄの上端とを縫い合わせたり接着したりして接続することで構成される。また、蓋部２６と、側壁部２４ａ〜２４ｃ（側壁部２４ｄ以外の側壁部）との間にはファスナー部２８ａ、２８ｂが配置される。蓋部２６は、ファスナー部２８ａ、２８ｂを介して本体部２１の開口部２２との間で着脱される。
【００１５】
取っ手２９は、使用者がバッカン２０を持ち運ぶときに掴むことができる。取っ手２９は、略細長い紐状体である。取っ手２９は、例えばＥＶＡ等の合成樹脂により形成され、可撓性を有する。取っ手２９は側壁部２４ａ、２４ｃの外側面にそれぞれ取り付けられる。なお、図１では、側壁部２４ｃの外側面に取り付けられた取っ手２９は、側壁部２４ｃに隠れて現れていない。具体的に、取っ手２９は、側壁部２４ａの外側面のうち、上下方向の中心よりも上方の位置で取付部３０を介して取り付けられる。バッカン２０を持ち運ばずに取っ手２９を用いない状況では収容物を出し入れするときに取っ手２９が邪魔にならないように、取付部３０を中心にして取っ手２９を垂れ下げた状態にすることができる。
【００１６】
上述したように構成されるバッカン２０では収容部２５内に直接、撒き餌を収容してしまうと、釣りを終えた後に清掃をしなければならず、手間が掛かってしまう。本実施形態では、バッカン２０の清掃を省略することができるように、バッカン２０の収容部２５にバッカン用袋１０を配置して、バッカン用袋１０に撒き餌を収容する。
【００１７】
次に、バッカン用袋１０について説明する。バッカン用袋１０は、防水性に優れ、上方が開口する中空の略直方体形状である。バッカン用袋１０は、例えば低密度ＰＥや高密度ＰＥ等の合成樹脂により形成される。また、バッカン用袋１０は、折り畳みが可能な厚みである。本実施形態のバッカン用袋１０の厚みは、例えば０．０２５ｍｍ〜０．１ｍｍである。
【００１８】
バッカン用袋１０は、底部１３と、底部１３の端から連続する４つの側部１４ａ〜１４ｄとを有する。底部１３および４つの側部１４ａ〜１４ｄはそれぞれが略矩形の薄いシート状である。底部１３と４つの側部１４ａ〜１４ｄとは直交した状態であり、かつ隣り合う側部１４ａ〜１４ｄ同士が直交した状態で成形されている。このように構成されるバッカン用袋１０では、底部１３と４つの側部１４ａ〜１４ｄとがそれぞれ交差する位置に角１５ａ〜１５ｄが形成される。角１５ａ〜１５ｄは、それぞれ角度が略９０度である。
なお、バッカン用袋１０は、底部１３と、４つの側部１４ａ〜１４ｄとを一体で成形してもよく、底部１３および４つの側部１４ａ〜１４ｄを予め製造して後加工で接続することで成形してもよい。底部１３と４つの側部１４ａ〜１４ｄによって囲まれる空間には撒き餌を収容することができる。バッカン用袋１０は、幅Ｌｓ１、奥行きＬｓ２、高さＨｓである。
【００１９】
ここで、本実施形態のバッカン用袋１０は、角１５ａ〜１５ｄが形成されていることから、バッカン用袋１０をバッカン２０の収容部２５の内部に配置したときに、バッカン用袋１０をバッカン２０の収容部２５の内側面に沿うように配置することができる。具体的には、バッカン用袋１０の底部１３をバッカン２０の底壁部２３の内側面（底面）に沿わせ、バッカン用袋１０の側部１４ａ〜１４ｄをバッカン２０の側壁部２４ａ〜２４ｄの内側面に沿わせるように配置することができる。
なお、本実施形態のバッカン用袋１０は、底部１３の大きさが、バッカン２０の底壁部２３の内側面（底面）に合わせた大きさである。具体的には、バッカン用袋１０の幅Ｌｓ１と収容部２５の幅Ｌｂ１とが略同一であり、バッカン用袋１０の奥行きＬｓ２と収容部２５の奥行きＬｂ２とが略同一である。一方、バッカン用袋１０の高さＨｓは、収容部２５の高さＨｂよりも大きい。ただし、バッカン用袋１０は、底部１３の大きさが、バッカン２０の底壁部２３の内側面（底面）よりも大きくてもよい。
【００２０】
次に、上述したように構成されるバッカン用袋１０をバッカン２０の内部に配置する方法について説明する。まず、使用者は、バッカン２０の蓋部２６を本体部２１の開口部２２からファスナー部２８ａ、２８ｂを介して離脱させることで、本体部２１の開口部２２を開放させる。次に、使用者は上方が開口するように広げた状態のバッカン用袋１０を、上方から本体部２１の収容部２５内に挿入する。このとき、バッカン用袋１０と収容部２５とで幅同士を対向させ、バッカン用袋１０と収容部２５とで奥行き同士を対向させた状態でバッカン用袋１０を収容部２５内に挿入する。
【００２１】
次に、使用者は、バッカン用袋１０をバッカン２０の収容部２５内で形状を整えるように配置する。具体的には、バッカン用袋１０の底部１３が本体部２１の底壁部２３の内側面（底面）と接するように、かつバッカン用袋１０の側部１４ａ〜１４ｄが本体部２１の側壁部２４ａ〜２４ｄの内側面と接するように配置する。次に、使用者は、バッカン用袋１０のうち本体部２１の開口部２２から上方にはみ出した部位を、外側に折り返す。バッカン用袋１０のうち開口部２２から外側に折り返した部位は、開口部２２およびファスナー部２８ａを外側から被覆することができる。また、本実施形態では、バッカン用袋１０のうち開口部２２から外側に折り返した部位は、取っ手２９の取付部３０を外側から被覆することができる。このような方法によりバッカン用袋１０をバッカン２０の内部に配置する。その後、使用者は、バッカン２０の内部に配置したバッカン用袋１０に撒き餌を収容する。
【００２２】
図２は、バッカン用袋１０をバッカン２０の内部に配置した状態を示す断面図である。上述したように、本実施形態のバッカン用袋１０は角１５ａ〜１５ｄが形成されている。したがって、バッカン用袋１０をバッカン２０の内部に配置したときに、バッカン用袋１０をバッカン２０の収容部２５の内側面に沿うように配置することができる。
【００２３】
このように、バッカン用袋１０をバッカン２０の収容部２５の内側面に沿わせることで、余分なスペースが発生しないことから収容部２５の空間を有効に利用することができる。したがって、撒き餌を多く収容することができたり、容易に撒き餌を掻き混ぜたりすることができる。
また、バッカン用袋１０をバッカン２０の収容部２５の内側面に沿わせることで、バッカン用袋１０に余計な折り目が生じることを抑制させることができる。したがって、バッカン用袋１０に撒き餌を収容したときに折り目に撒き餌が入り込んでしまったり、遠投するために撒き餌ヒシャクで撒き餌を押し付けるときに折り目が邪魔になったりすることが解消され、快適にバッカン２０を使用することができる。
【００２４】
また、本実施形態のバッカン用袋１０は、バッカン２０の内部に配置したときにバッカン２０の開口部２２から外側に折り返し可能である。したがって、バッカン用袋１０を折り返した部位で開口部２２を外側から覆うことができ、開口部２２が撒き餌で汚れてしまうことを抑制することができる。特に、開口部２２にファスナー部２８ａが設けられている場合、ファスナー部２８ａが汚れてしまうことを抑制することができる。
【００２５】
また、本実施形態のバッカン用袋１０は、バッカン２０の内部に配置して開口部２２から外側に折り返したときにバッカン２０の取っ手２９の取付部３０を覆うことが可能である。したがって、取っ手２９の取付部３０が撒き餌で汚れてしまうことを抑制することができる。
また、本実施形態のバッカン用袋１０は、釣りを終えた後にバッカン２０から抜き出して保管したり捨てたりすることで、バッカン２０の収容部２５自体を清掃する必要がないために、快適にバッカン２０を使用することができる。
【００２６】
以上、本考案を上述した実施形態により説明したが、本考案は上述した実施形態に限定されるものではなく、本考案の範囲内で変更等が可能であり、変形例を組み合せてもよい。
上述した実施形態では、バッカン用袋１０をバッカン２０の内部に配置して開口部２２から外側に折り返したときにバッカン２０の取っ手２９の取付部３０を覆うことが可能である場合について説明したが、この場合に限られず、取付部３０を含む取っ手２９全体を覆うことが可能であってもよい。
【００２７】
上述した実施形態では、バッカン２０が蓋部２６を有する場合について説明したが、この場合に限られず、バッカン２０が蓋部２６を有さない場合であってもよい。
上述した実施形態では、バッカン２０の底壁部２３が略矩形であり、収容部２５が略直方体の空間である場合について説明したが、この場合に限られず、底壁部２３が略円形（楕円を含む）であり、収容部２５が略円柱体の空間であってもよい。この場合には、バッカン用袋１０は、上方が開口する中空の略円柱体形状にして、底部１３と側部とが交差する位置に角を形成することで、バッカンの収容部の内側面に沿わせることができる。
【符号の説明】
【００２８】
１０：バッカン用袋  １３：底部  １４ａ〜１４ｄ：側部  １５ａ〜１５ｄ：角  ２０：バッカン  ２２：開口部  ２３：底壁部  ２４ａ〜２４ｄ：側壁部  ２５：収容部  ２６：蓋部  ２９：取っ手  ３０：取付部
【図１】
0003228058.tif 000003
【図２】
0003228058.tif 000004